(57)【要約】【課題】ダストバリアの組付作業性がよい配線用遮断器を提供する。【解決手段】本発明の配線用遮断器は、ベースとカバーとからなる筐体の端子座の内側に形成されるダストバリアのスライド挿入部の外側をダストバリアの中間高さ位置でカットし、ダストバリアを筐体外部から挿入できる挿入孔を設けたものである。カバー３とベース２を組み立てた後に、筐体１の端子接続用開口からダストバリア１５をスライド挿入部８に差し込んで取り付けることができるので、組付作業性を向上させることができる。スライド挿入部８は保持溝であっても、突起であってもよい。【選択図】図１
2009043517.tif 000002
【特許請求の範囲】
【請求項１】
ベースとカバーとからなる筐体の端子座の内側に形成されるダストバリアのスライド挿入部の外側をダストバリアの中間高さ位置でカットし、ダストバリアを筐体外部から挿入できる挿入孔を設けたことを特徴とする配線用遮断器。
【請求項２】
ダストバリアのスライド挿入部の筐体端部に向けた上端部に、挿入孔を設けたことを特徴とする請求項１に記載の配線用遮断器。
【請求項３】
ダストバリアのスライド挿入部が、保持溝または突起からなることを特徴とする請求項１または２に記載の配線用遮断器。
【発明の詳細な説明】
【技術分野】
【０００１】
本発明は、短絡時にアークガスを排出する排出口から筐体内に塵埃が侵入することを防止するために、板状のダストバリアを取り付けた配線用遮断器に関するものである。
【背景技術】
【０００２】
配線用遮断器には、短絡時に発生するアークガスを筐体外へ排出する排出口が設けられ、この排出口には施工時や使用時にゴミやほこりが筐体内に入らないように、板状のダストバリアが取り付けられている。ダストバリアは可撓性のある部材で作られ、通常は排気口を塞いでいるが、アークガスが噴出したときには筐体の外側に撓んでアークガスを排出できる構造となっている。
【０００３】
特許文献１に示されるように、ダストバリアは筐体のベース側に形成された対をなす縦溝間に嵌めこまれており、それらの縦溝の上端を筐体のカバーで押さえることによって保持されているのが普通である。
【０００４】
このためダストバリアの取り付けは、筐体のベース内部に開閉機構や端子装置などを組み込んだ後、最後にベースの縦溝にダストバリアを差し込んで仮取り付けし、その後にダストバリアの上端をカバーの溝に合わせながらカバーを被せて固定する方法によって行われている。しかしカバーの下面で位置合わせをしながらカバーを被せる必要があるため、組立作業性が悪いという問題があった。
【特許文献１】実開平１−１５９３３２号公報
【発明の開示】
【発明が解決しようとする課題】
【０００５】
本発明は上記した従来の問題点を解決し、ダストバリアの組付作業性がよい配線用遮断器を提供することを目的とするものである。
【課題を解決するための手段】
【０００６】
上記の課題を解決するためになされた本発明は、ベースとカバーとからなる筐体の端子座の内側に形成されるダストバリアのスライド挿入部の外側をダストバリアの中間高さ位置でカットし、ダストバリアを筐体外部から挿入できる挿入孔を設けたことを特徴とするものである。なお、ダストバリアのスライド挿入部の筐体端部に向けた上端部に、挿入孔を設けた構造とすることができる。またダストバリアのスライド挿入部は、保持溝または突起からなるものとすることができる。
【発明の効果】
【０００７】
本発明の配線用遮断器は、ダストバリアのスライド挿入部の外側をダストバリアの中間高さ位置でカットし、ダストバリアを筐体外部から挿入できる挿入孔を設けたものであるから、ベースとカバーとを固定した後に、ダストバリアを撓ませながら筐体の外部から挿入口を通じて、スライド挿入部内に挿入することができる。挿入されたダストバリアは外力を除けば平板状に復元し、ダストバリアとしての機能を発揮する。このように本発明によればベースとカバーとを固定した後にダストバリアを外部から容易に挿入できるので、ダストバリアを備えた配線用遮断器の組付作業性を向上させることができる。
【０００８】
また請求項２のように、ダストバリアのスライド挿入部の筐体端部に向けた上端部に挿入孔を設けた構造とすれば、斜め上方からダストバリアを挿入できるので、挿入作業が容易に行える。
【発明を実施するための最良の形態】
【０００９】
以下に、図面を参照しつつ本発明の好ましい実施の形態を示す。
図１は本発明の実施形態を示す配線用路遮断器の斜視図、図２はベースの上面斜視図、図３はカバーを上下反転させた状態の斜視図である。１は筐体であり、ベース２とカバー３とからなるものである。図２に示されるように、ベース２は上面が開放した箱形形状をしており、図３に示されるように、カバー３は下面が開放した箱形形状をしている。
【００１０】
この実施形態の配線用遮断器は単一のハンドル５を備えた３極用の配線用遮断器であり、各極の端子座の部分をアークガスの排気に利用した構造である。ベース２には端子座４が取り付けられる部分の両側に極間の絶縁隔壁６が形成され、これらの絶縁隔壁６から突出する２本の突状７によってスライド挿入部８である保持溝が形成されている。このスライド挿入部８は水平である端子接続部の端部付近に位置している。
【００１１】
またカバー３にも極間の絶縁隔壁９が形成されている。またカバー３には、各極の端子座の中間部分を筐体外側と筐体内側とに仕切る硬質板状の排気孔バリア１０がベース２の方向に延設されている。この排気孔バリア１０には多数の排気孔１１が形成されていて、回路遮断時に発生するアークガスを排気できるようになっている。
【００１２】
ダストバリア１５は図５に示すような板状片であり、樹脂やファイバー材のような可撓性を有する材質からなる。ダストバリア１５は下部の幅広部１６を前記したスライド挿入部８、８間にスライドさせながら差込み、図４、図７に示されるように排気孔バリア１０の外側に密着した垂直姿勢を維持するものである。なお上部１７はフリーであるから、アークガス発生時にはその圧力により外側に撓んでアークガスを排気するが、通常時には排気孔バリア１０の排気孔１１を塞いで塵埃の侵入を防止するものである。
【００１３】
以上の構成は従来と基本的に変わるものではないが、本発明ではダストバリア１５のスライド挿入部８をダストバリア１５の中間高さ位置でカットし、ダストバリア１５を筐体外部から挿入できる挿入孔１８を設けてある。すなわちこの実施形態では、スライド挿入部８を構成する２本の突状７のうち、筐体外側の突状７の上方部を切り欠いて挿入孔１８を形成している。
【００１４】
このため、図６に示すようにダストバリア１５を組み込まない状態でベース２にカバー３を取り付けたのち、図７に示すように端子接続用開口１２を通じて斜め上方からダストバリア１５の幅広部１６をスライド挿入部８、８間に差し込むことができる。挿入時にはダストバリア１５を撓ませる必要があるが、下端まで差し込んだうえで手を放せばダストバリア１５は撓みが戻り、排気孔バリア１０の外側に密着した垂直姿勢となり、その後は脱落するおそれはない。
【００１５】
挿入孔１８はダストバリア１５の中間高さより上側に形成されるとともに、その内側角部を斜めに面取りし、斜めに差し込まれるダストバリア１５の挿入が円滑に行われるようにしている。なお中間高さとは、ダストバリア１５の高さの２／５〜４／５の範囲であり、挿入孔１８の下端がダストバリア１５の高さの２／５よりも低いとダストバリア１５の保持が不安定になり、４／５よりも高いと挿入が困難となるためである。
【００１６】
なお、この実施形態ではダストバリア１５のスライド挿入部８の筐体端部に向けた上端部に、挿入孔１８を設けたので、挿入作業を円滑に行うことができる。しかし図８に示す第２の実施形態のように、カバー３にダストバリア１５のスライド挿入部８を形成し、挿入孔１８を下向きとしてもよい。またベース２とカバー３の両方にスライド挿入部８を形成し、水平方向から挿入するようにしてもよい。
【００１７】
また、実施形態ではダストバリア１５のスライド挿入部８を保持溝としているが、図９に示されるように、複数の突起によってスライド挿入部８を形成することもできる。
【００１８】
このように構成された本発明の配線用遮断器は、カバー３とベース２を組み立てた後に、筐体１の端子接続用開口からダストバリア１５をスライド挿入部８に差し込んで取り付けることができるので、従来に比較して配線用遮断器の組付作業性を向上させることができる。
【００１９】
このようにして挿入されたダストバリア１５は筐体１内に塵埃が侵入することを的確に防止することができ、またアークガスが発生した際にはそのガス圧によりダストバリア１５は撓んで排気孔バリア１０の排気孔１１を開き、アークガスを筐体の外部に排出することができる。
【図面の簡単な説明】
【００２０】
【図１】本発明の配線用遮断器の外観斜視図である。
【図２】ベースの斜視図である。
【図３】カバーの裏側の斜視図である。
【図４】本発明の配線用遮断器の側面図である。
【図５】ダストバリアの斜視図である。
【図６】ベースにカバーを組付ける状態を示す説明図である。
【図７】ダストバリアを組付ける状態を示す説明図である。
【図８】ダストバリア保持部の他の実施形態を示す断面図である。
【図９】ダストバリア保持部のさらに他の実施形態を示す断面図である。
【符号の説明】
【００２１】
１  筐体
２  ベース
３  カバー
４  端子座
５  ハンドル
６  絶縁隔壁
７  突状
８  スライド挿入部
９  絶縁隔壁
１０  排気孔バリア
１１  排気孔
１２  端子接続用開口
１５  ダストバリア
１６  幅広部
１７  上部
１８  挿入孔
【図１】
2009043517.tif 000003
【図２】
2009043517.tif 000004
【図３】
2009043517.tif 000005
【図４】
2009043517.tif 000006
【図５】
2009043517.tif 000007
【図６】
2009043517.tif 000008
【図７】
2009043517.tif 000009
【図８】
2009043517.tif 000010
【図９】
2009043517.tif 000011